(57)【要約】【課題】キャプスタンローラによる記録媒体の搬送力を確保しつつ、キャプスタンローラによって記録媒体に現れるキャプスタン痕を抑制する。【解決手段】キャプスタンローラ２１とピンチローラ２２との間に印画紙２０を挟持し、印画紙２０に圧接させたキャプスタンローラ２１の回転によって印画紙２０を搬送しながらサーマルヘッド１１の各発熱抵抗体１１ａを発熱させ、印画を行うサーマルプリンタ１０であって、キャプスタンローラ２１は、印画紙２０に対する圧接面に複数の突起２１ａが形成されており、キャプスタンローラ２１と印画紙２０との圧接力を調整可能なピンチ圧可変装置４０を備え、ピンチ圧可変装置４０は、サーマルヘッド１１による印画紙２０の印画時よりも非印画時の圧接力が小さくなるように圧接力を調整する。【選択図】図２
2008213180.tif 000002
【特許請求の範囲】
【請求項１】
記録媒体を搬送するためのキャプスタンローラと、
前記キャプスタンローラに対向するピンチローラと
を備え、
前記キャプスタンローラと前記ピンチローラとの間に記録媒体を挟持し、記録媒体に圧接させた前記キャプスタンローラの回転によって記録媒体を搬送する搬送装置であって、
前記キャプスタンローラは、記録媒体に対する圧接面に複数の突起が形成されており、
前記キャプスタンローラと記録媒体との圧接力を調整可能な圧接力調整手段を備え、
前記圧接力調整手段は、前記キャプスタンローラの回転時よりも停止時の圧接力が小さくなるように圧接力を調整する
ことを特徴とする搬送装置。
【請求項２】
請求項１に記載の搬送装置において、
前記圧接力調整手段は、連続的又は段階的に圧接力を調整可能である
ことを特徴とする搬送装置。
【請求項３】
請求項１に記載の搬送装置において、
前記圧接力調整手段は、
中心からずれた位置にある回転軸によって回転する偏心カムと、
前記偏心カムの回転によって縮み量が変化するバネと
を備えることを特徴とする搬送装置。
【請求項４】
記録媒体を搬送するためのキャプスタンローラと、
前記キャプスタンローラに対向するピンチローラと
を備え、
前記キャプスタンローラと前記ピンチローラとの間に記録媒体を挟持し、記録媒体に圧接させた前記キャプスタンローラの回転によって記録媒体を搬送する搬送装置であって、
前記キャプスタンローラは、記録媒体に対する圧接面に複数の突起が形成されており、
前記キャプスタンローラと記録媒体との圧接力を調整可能な圧接力調整手段を備え、
前記圧接力調整手段は、各前記突起による記録媒体の凹みが記録媒体の弾性限度内となるように圧接力を調整する
ことを特徴とする搬送装置。
【請求項５】
記録媒体を搬送するためのキャプスタンローラと、
前記キャプスタンローラに対向するピンチローラと
を備え、
前記キャプスタンローラと前記ピンチローラとの間に記録媒体を挟持し、記録媒体に圧接させた前記キャプスタンローラの回転によって記録媒体を搬送する搬送装置であって、
前記キャプスタンローラは、記録媒体に対する圧接面に複数の突起が形成されており、
各前記突起は全て、記録媒体の搬送方向の上流側よりも下流側の方が鋭利な形状である
ことを特徴とする搬送装置。
【請求項６】
複数の発熱素子を配列したサーマルヘッドと、
記録媒体を搬送するためのキャプスタンローラと、
前記キャプスタンローラに対向するピンチローラと
を備え、
前記キャプスタンローラと前記ピンチローラとの間に記録媒体を挟持し、記録媒体に圧接させた前記キャプスタンローラの回転によって記録媒体を搬送しながら前記サーマルヘッドの各前記発熱素子を発熱させ、印画を行う画像形成装置であって、
前記キャプスタンローラは、記録媒体に対する圧接面に複数の突起が形成されており、
前記キャプスタンローラと記録媒体との圧接力を調整可能な圧接力調整手段を備え、
前記圧接力調整手段は、前記サーマルヘッドによる記録媒体の印画時よりも非印画時の圧接力が小さくなるように圧接力を調整する
ことを特徴とする画像形成装置。
【請求項７】
請求項６に記載の画像形成装置において、
前記圧接力調整手段は、
前記キャプスタンローラの回転時で前記サーマルヘッドによる記録媒体の印画時は、圧接力を大きくし、
前記キャプスタンローラの回転時で前記サーマルヘッドによる記録媒体の非印画時は、圧接力を小さくし、
前記キャプスタンローラの停止時は、圧接力をゼロにする
ことを特徴とする画像形成装置。
【発明の詳細な説明】
【技術分野】
【０００１】
本発明は、キャプスタンローラとピンチローラとの間に記録媒体を挟持し、記録媒体に圧接させたキャプスタンローラの回転によって記録媒体を搬送する搬送装置及び画像形成装置に係るものである。そして、詳しくは、キャプスタンローラを記録媒体に圧接しながら搬送することによって生ずる記録媒体のキャプスタン痕を抑制できるようにした技術に関するものである。
【背景技術】
【０００２】
従来より、画像形成装置として、例えば、プラテンローラと対向するサーマルヘッドを備えたサーマルプリンタが知られている。このサーマルプリンタは、サーマルヘッドに配列されたライン状の発熱抵抗体（発熱素子）に対し、階調レベルに応じた選択的な通電を行い、その際に発生する熱エネルギを利用することにより、印画紙（記録媒体）に印画を行うようになっている。
【０００３】
ここで、印画紙は、基材部の表面にインクの受容層を形成したものである。そして、印画を行う場合には、受容層を上にして、プラテンローラ上に印画紙を給紙する。次に、プラテンローラから離れるように上昇していたサーマルヘッドを下降させ、インクリボン及び印画紙を介して、サーマルヘッドをプラテンローラに押圧する。この状態で、サーマルヘッドの駆動回路から出力される信号に基づいて、サーマルヘッドに配列された各発熱抵抗体を発熱させるとともに、印画紙を搬送する。すると、インクリボンに塗布されたインクが印画紙の受容層に転写され、印画が行われることとなる。
【０００４】
また、カラーの印画を行う場合には、１色目の印画の終了後にサーマルヘッドを上昇させ、プラテンローラに対する押圧を解除する。その後、印画紙を逆方向に搬送し、印画の開始点まで逆送りした後、１色目の印画と同様にして、１色目の上に２色目を重ねることによって印画を行っている。
【０００５】
このように、印画の際には、印画紙を搬送する必要があるが、印画紙の搬送は、キャプスタンローラを回転させることによって行う。すなわち、キャプスタンローラを印画紙の基材部側に配置するとともに、ピンチローラを印画紙の受容層側に配置し、キャプスタンローラとピンチローラとの間に印画紙を挟持してキャプスタンローラを回転（カラー印画の場合には、逆回転も）させ、印画紙を搬送する。そのため、キャプスタンローラには、印画紙を一定の速度で、位置ずれなく搬送することが求められる。また、カラー対応のプリンタの場合には、２色目以降を重ねた際の色ずれを防止するため、特に高い搬送精度が必要となる。
【０００６】
そこで、キャプスタンローラ及びピンチローラを複数対設け、多列化することによって搬送精度を高める技術が知られている。すなわち、印画紙を挟持して搬送する複数のキャプスタンローラ及びピンチローラにより、印画紙の搬送時の位置ずれを防止しながら印画を行うようにしたサーマルプリンタである（例えば、特許文献１参照）。
【特許文献１】特開平７−２２３３４３号公報
【発明の開示】
【発明が解決しようとする課題】
【０００７】
しかし、キャプスタンローラ及びピンチローラを複数対設け、多列化しただけでは、高い搬送精度を長期にわたって維持することは困難である。すなわち、表面がフラットな円柱状のキャプスタンローラの場合、搬送力は、キャプスタンローラと印画紙との摩擦力に左右される。そして、使用によってキャプスタンローラに紙粉等が付着すると、摩擦力が低下してしまう。すると、キャプスタンローラが複数あっても十分な搬送力が得られなくなり、印画紙が位置ずれを起こして色ずれの問題が発生することとなる。
【０００８】
そこで、常に十分な搬送力が得られるように、キャプスタンローラの表面に突起を形成する技術が知られている。すなわち、表面に突起を形成したキャプスタンローラを印画紙に圧接させ、搬送の際に、キャプスタンローラの圧接力によって突起が印画紙の基材部に食い込むようにすることで、十分な搬送力を確保し、色ずれが生じないようにしたものである。
【０００９】
ところが、キャプスタンローラの突起を印画紙の基材部に食い込ませると、食い込んだ突起の影響により、印画が行われた印画紙の受容層側にキャプスタン痕が現れるという問題を生ずる。これは、印画紙に圧接された突起によって印画紙の基材部側に凹みが生じ、その凹みが受容層側に現れることによるものである。
【００１０】
図１１は、キャプスタンローラ２１の突起２１ａによって生じる印画紙２０のキャプスタン痕を示す説明図である。
図１１に示すように、印画紙２０は、キャプスタンローラ２１とピンチローラ２２との間に挟持されている。そして、キャプスタンローラ２１には、幅方向の両端側にそれぞれ突起２１ａが形成されている。
【００１１】
ここで、キャプスタンローラ２１を回転させると、キャプスタンローラ２１が印画紙２０に圧接しているので、突起２１ａが印画紙２０に食い込み、図１１（ａ）に示すように、印画紙２０の基材部側に、突起２１ａに対応した２列の凹みが生じることとなる。そのため、印画紙２０の受容層側には、基材部側の凹みに対応した２列のキャプスタン痕（凹みが受容層側に現れたもの）ができる。このキャプスタン痕は、回転するキャプスタンローラ２１の突起２１ａが排紙方向に連続的に印画紙２０を凹ませて生ずるものであり、突起２１ａのスパイク痕（図１１（ａ）参照）である。
【００１２】
また、キャプスタンローラ２１の回転が停止していても、印画紙２０がキャプスタンローラ２１とピンチローラ２２との間に挟持され、圧接されている以上、キャプスタンローラ２１の突起２１ａが印画紙２０に食い込む。そして、この食い込みは、キャプスタンローラ２１の停止時間が長いほど深くなる。そのため、しばらく停止したキャプスタンローラ２１上の印画紙２０に突起２１ａによる凹みが生じ、キャプスタン痕が現れる。このキャプスタン痕は、停止したキャプスタンローラ２１の突起２１ａが部分的に印画紙２０を凹ませて生ずるものであり、突起２１ａの停止痕（図１１（ｂ）参照）である。
【００１３】
このように、印画紙に圧接したキャプスタンローラ２１の突起２１ａにより、印画紙２０にキャプスタン痕（スパイク痕、停止痕）が生ずるが、突起２１ａは、印画紙２０の搬送力を確保し、色ずれを防止するために必要なものである。そのため、搬送力とキャプスタン痕とが背反関係になっており、色ずれしないように搬送力を大きくすると、キャプスタン痕が鮮明に現れてしまい、逆に、キャプスタン痕を低減するために圧接力を小さくすると、今度は搬送力が小さくなって色ずれを起こしてしまう。
【００１４】
そこで、従来は、色ずれとキャプスタン痕との順位付けで、色ずれの防止を優先していた。そのため、印画紙２０のキャプスタン痕は、黙認されているのが実情であった。
しかしながら、キャプスタン痕は、印画品質に悪影響を及ぼすことから、さらなる高画質化のためには、その対策が必要となる。
【００１５】
したがって、本発明が解決しようとする課題は、キャプスタンローラによる記録媒体の搬送力を確保しつつ、キャプスタンローラによって記録媒体に現れるキャプスタン痕を抑制することである。
【課題を解決するための手段】
【００１６】
本発明は、以下の解決手段によって、上述の課題を解決する。
請求項１に記載の発明は、記録媒体を搬送するためのキャプスタンローラと、前記キャプスタンローラに対向するピンチローラとを備え、前記キャプスタンローラと前記ピンチローラとの間に記録媒体を挟持し、記録媒体に圧接させた前記キャプスタンローラの回転によって記録媒体を搬送する搬送装置であって、前記キャプスタンローラは、記録媒体に対する圧接面に複数の突起が形成されており、前記キャプスタンローラと記録媒体との圧接力を調整可能な圧接力調整手段を備え、前記圧接力調整手段は、前記キャプスタンローラの回転時よりも停止時の圧接力が小さくなるように圧接力を調整することを特徴とする。
【００１７】
（作用）
請求項１に記載の発明においては、キャプスタンローラは、記録媒体に対する圧接面に複数の突起が形成されており、キャプスタンローラと記録媒体との圧接力を調整可能な圧接力調整手段を備え、圧接力調整手段は、キャプスタンローラの回転時よりも停止時の圧接力が小さくなるように圧接力を調整する。そのため、記録媒体を搬送するキャプスタンローラの回転時は、記録媒体に対してキャプスタンローラの突起が食い込んで必要な搬送力が確保され、記録媒体を搬送しないキャプスタンローラの停止時は、記録媒体に対するキャプスタンローラの突起の食い込みが弱まってキャプスタン痕が抑制される。
【００１８】
請求項４に記載の発明は、記録媒体を搬送するためのキャプスタンローラと、前記キャプスタンローラに対向するピンチローラとを備え、前記キャプスタンローラと前記ピンチローラとの間に記録媒体を挟持し、記録媒体に圧接させた前記キャプスタンローラの回転によって記録媒体を搬送する搬送装置であって、前記キャプスタンローラは、記録媒体に対する圧接面に複数の突起が形成されており、前記キャプスタンローラと記録媒体との圧接力を調整可能な圧接力調整手段を備え、前記圧接力調整手段は、各前記突起による記録媒体の凹みが記録媒体の弾性限度内となるように圧接力を調整することを特徴とする。
【００１９】
（作用）
請求項４に記載の発明においては、キャプスタンローラは、記録媒体に対する圧接面に複数の突起が形成されており、キャプスタンローラと記録媒体との圧接力を調整可能な圧接力調整手段を備え、圧接力調整手段は、各突起による記録媒体の凹みが記録媒体の弾性限度内となるように圧接力を調整する。そのため、記録媒体に対してキャプスタンローラの突起が食い込み、記録媒体に凹みが発生しても、その凹みが回復するので、キャプスタン痕が抑制される。
【００２０】
請求項５に記載の発明は、記録媒体を搬送するためのキャプスタンローラと、前記キャプスタンローラに対向するピンチローラとを備え、前記キャプスタンローラと前記ピンチローラとの間に記録媒体を挟持し、記録媒体に圧接させた前記キャプスタンローラの回転によって記録媒体を搬送する搬送装置であって、前記キャプスタンローラは、記録媒体に対する圧接面に複数の突起が形成されており、各前記突起は全て、記録媒体の搬送方向の上流側よりも下流側の方が鋭利な形状であることを特徴とする。
【００２１】
（作用）
請求項５に記載の発明においては、キャプスタンローラは、記録媒体に対する圧接面に複数の突起が形成されており、各突起は全て、記録媒体の搬送方向の上流側よりも下流側の方が鋭利な形状である。そのため、記録媒体の逆送り時は、搬送力が小さくなってしまうが、順送り時の搬送力が大きくなるので、その分だけ順送り時のキャプスタンローラの圧接力を弱くすることができ、キャプスタン痕を抑制できる。
【００２２】
請求項６に記載の発明は、複数の発熱素子を配列したサーマルヘッドと、記録媒体を搬送するためのキャプスタンローラと、前記キャプスタンローラに対向するピンチローラとを備え、前記キャプスタンローラと前記ピンチローラとの間に記録媒体を挟持し、記録媒体に圧接させた前記キャプスタンローラの回転によって記録媒体を搬送しながら前記サーマルヘッドの各前記発熱素子を発熱させ、印画を行う画像形成装置であって、前記キャプスタンローラは、記録媒体に対する圧接面に複数の突起が形成されており、前記キャプスタンローラと記録媒体との圧接力を調整可能な圧接力調整手段を備え、前記圧接力調整手段は、前記サーマルヘッドによる記録媒体の印画時よりも非印画時の圧接力が小さくなるように圧接力を調整することを特徴とする。
【００２３】
（作用）
請求項６に記載の発明においては、キャプスタンローラは、記録媒体に対する圧接面に複数の突起が形成されており、キャプスタンローラと記録媒体との圧接力を調整可能な圧接力調整手段を備え、圧接力調整手段は、サーマルヘッドによる記録媒体の印画時よりも非印画時の圧接力が小さくなるように圧接力を調整する。そのため、記録媒体の搬送負荷が大きくなる印画時は、記録媒体に対してキャプスタンローラの突起が食い込んで必要な搬送力が確保され、記録媒体の搬送負荷が小さい非印画時は、記録媒体に対するキャプスタンローラの突起の食い込みが弱まってキャプスタン痕が抑制される。
【発明の効果】
【００２４】
本発明によれば、キャプスタンローラの圧接面に形成された複数の突起により、記録媒体の搬送力が十分に確保されるので、色ずれを防止できる。また、必要に応じてキャプスタンローラの圧接力を調整したり、記録媒体の搬送方向の上流側と下流側とで突起形状を変えることにより、キャプスタン痕を抑制できる。そのため、優れた印画品質を得ることができる。
【発明を実施するための最良の形態】
【００２５】
以下、図面を参照して、本発明の実施形態について説明する。
なお、以下の実施形態では、本発明の画像形成装置として、昇華式のサーマルヘッド１１によって印画紙２０（記録媒体）にカラー印画を行うサーマルプリンタ１０を例に挙げて説明する。すなわち、本実施形態のサーマルプリンタ１０は、イエロー（Ｙ）、マゼンタ（Ｍ）、シアン（Ｃ）の３色のカラーインクと、透明なラミネートインク（Ｌ）とが塗布されたインクリボン３０を使用し、サーマルヘッド１１に配列された複数の発熱抵抗体１１ａ（本発明における発熱素子に相当するもの）に通電した際の発熱エネルギを利用して各インクを転写することで、印画紙２０にカラー印画を行うものである。
【００２６】
また、以下の実施形態では、本発明の搬送装置は、サーマルプリンタ１０内に設置されており、キャプスタンローラ２１とピンチローラ２２との間に印画紙２０を挟持し、印画紙２０に圧接させたキャプスタンローラ２１の回転によって印画紙２０を搬送するものである。
【００２７】
図１は、カラー印画が可能な本実施形態のサーマルプリンタ１０の概要を示す側面図である。
図１に示すように、本実施形態のサーマルプリンタ１０は、サーマルヘッド１１とプラテンローラ１２とを備えている。ここで、サーマルヘッド１１は、プラテンローラ１２と対向するように設けられ、プラテンローラ１２に対して、接離方向に変位可能となっている。そして、印画が実行される際には、サーマルヘッド１１が矢印のように下降して、プラテンローラ１２を押圧するように変位する。
【００２８】
このようなサーマルプリンタ１０において、各色ごとに色分けされたインクリボン３０は、リボンカセット（図示せず）内に収納されており、色変換処理された階調データに応じて、図１に示す矢印のように供給リール３１から引き出され、その後、ガイドローラ（図示せず）に導かれながら、サーマルヘッド１１とプラテンローラ１２との間を通り、巻取りリール３２に向けて図１の右方向に搬送される。
【００２９】
一方、印画紙２０は、基材部とインクの受容層とを有しており、サーマルプリンタ１０内の所定の場所にセットされている。そして、必要に応じてそこから引き出され、搬送される。すなわち、引き出された印画紙２０は、用紙搬送路（図示せず）によって導かれ、サーマルヘッド１１及びインクリボン３０側が受容層で、プラテンローラ１２側が基材部となるように給紙される。
【００３０】
この際、印画紙２０は、突起２１ａが形成されたキャプスタンローラ２１と、ピンチローラ２２との間に挟持されて排紙方向（図１の左方向）に搬送され、サーマルヘッド１１とプラテンローラ１２との間を通り過ぎる。すなわち、印画は、印画紙２０に圧接したキャプスタンローラ２１の時計回りの回転駆動により、印画方向（図１の右方向）に印画紙２０を搬送しながら行うので、印画の開始時は、印画紙２０の先端がサーマルヘッド１１を通り過ぎ、印画の開始地点がサーマルヘッド１１の発熱抵抗体１１ａと対向する位置になるまで排紙方向（図１の左方向）に搬送される。
【００３１】
ここで、サーマルプリンタ１０に印画指令が入力されると、それまで上昇していたサーマルヘッド１１（図１に示す状態）が矢印のように下降し、発熱抵抗体１１ａによってプラテンローラ１２を押圧する。そして、サーマルヘッド１１とプラテンローラ１２との間にインクリボン３０及び印画紙２０を挟持する。すなわち、サーマルヘッド１１がプラテンローラ１２に向かって矢印のように変位すると、インクリボン３０及び印画紙２０を介して、サーマルヘッド１１とプラテンローラ１２との間に押圧力が作用する。その結果、インクリボン３０と印画紙２０の受容層とが押圧されるようになる。
【００３２】
この状態において階調データが入力されると、時計回りに回転駆動されたキャプスタンローラ２１と従動するピンチローラ２２とにより、印画紙２０が印画方向（図１の右方向）に搬送される。それと同時に、インクリボン３０が供給リール３１から矢印のように引き出され、巻取りリール３２に向けて搬送される。そして、サーマルヘッド１１の各発熱抵抗体１１ａが選択的に通電駆動され、発熱抵抗体１１ａから発生した熱がインクリボン３０に伝達される。すると、インクリボン３０上のイエロー（Ｙ）のカラーインクが昇華され、印画紙２０の受容層上に転写されて印画が行われる。
【００３３】
また、カラー印画は、各色ごとに実行されるため、インクリボン３０が搬送されて転写する色が変更されるごとに、サーマルヘッド１１が上昇するとともに、キャプスタンローラ２１が逆回転（今度は反時計回りに回転）し、印画紙２０が排紙方向（図１の左方向）に搬送されて印画の開始地点まで戻される。そして、イエロー（Ｙ）の場合と同様にしてマゼンタ（Ｍ）及びシアン（Ｃ）のカラーインクがそれぞれ重ねて転写され、カラー画像が形成される。
【００３４】
さらにまた、印画紙２０の印画済み領域の全体（カラー画像の上）に透明なラミネートインク（Ｌ）が転写され、印画の終了となる。そして、このような印画動作の終了後は、排紙動作となり、印画紙２０がそのまま排紙方向（図１の左方向）に搬送され、カッター２３によって所定の長さに切断された後、排紙口（図示せず）から排紙される。
【００３５】
このように、図１に示す本実施形態のサーマルプリンタ１０は、キャプスタンローラ２１とピンチローラ２２との間に印画紙２０を挟持し、印画紙２０に圧接させたキャプスタンローラ２１の回転によって印画紙２０を搬送しながらサーマルヘッド１１の各発熱抵抗体１１ａを発熱させ、インクリボン３０上のイエロー（Ｙ）、マゼンタ（Ｍ）、シアン（Ｃ）の３色のカラーインクと、透明なラミネートインク（Ｌ）とを印画紙２０に転写させて印画を行い、印画された印画紙２０を排紙するものである。
【００３６】
また、本実施形態のサーマルプリンタ１０は、２色目以降を重ねた際の色ずれを防止するため、図１に示すように、印画紙２０に対する圧接面に複数の突起２１ａが形成されたキャプスタンローラ２１を使用している。すなわち、突起２１ａを形成したキャプスタンローラ２１を印画紙２０に圧接させ、搬送の際に、キャプスタンローラ２１の圧接力によって突起２１ａが印画紙２０の基材部に食い込むようにすることで、十分な搬送力を確保し、色ずれが生じないようにしている。
【００３７】
ところが、上述したように、キャプスタンローラ２１の突起２１ａを印画紙２０の基材部に食い込ませると、食い込んだ突起２１ａの影響により、印画が行われた印画紙２０の受容層側にキャプスタン痕（図１１参照）が現れるという問題を生ずる。特に、印画サイズが大きくなるとサーマルヘッド１１の幅が広くなり、色ずれのない高品質な画像を得るためには、プラテンローラ１２に加える押圧力を大きくする必要がある。すると、搬送負荷（サーマルヘッド１１と印画紙２０との摩擦力等）が増えるので、それに打ち勝つ搬送力を確保しなければならなくなる。そのため、搬送力を確保できる圧接力としつつ、キャプスタン痕を抑制することが求められている。
【００３８】
そこで、本実施形態のサーマルプリンタ１０は、キャプスタンローラ２１と印画紙２０との圧接力を調整可能な圧接力調整手段を備えている。そして、この圧接力調整手段は、サーマルヘッド１１による印画紙２０の印画時よりも非印画時の圧接力が小さくなるように圧接力を調整する。そのため、印画時は、印画紙２０に対してキャプスタンローラ２１の突起２１ａが食い込んで必要な搬送力が確保され、非印画時は、印画紙２０に対するキャプスタンローラ２１の突起２１ａの食い込みが弱まってキャプスタン痕が抑制される。
【００３９】
図２は、本実施形態のサーマルプリンタ１０における印画時（転写時）及び非印画時（排紙時）の動作を示す側面図である。
図２に示す本実施形態のサーマルプリンタ１０は、キャプスタンローラ２１に対向するピンチローラ２２に、ピンチ圧可変装置４０（本発明における圧接力調整手段に相当するもの）が取り付けられている。このピンチ圧可変装置４０は、キャプスタンローラ２１の突起２１ａと印画紙２０との間の圧接力を調整するためのものであり、ピンチローラ２２を上下動させることができる。例えば、ピンチ圧可変装置４０によってピンチローラ２２を下降させれば、ピンチ圧（印画紙２０に対するピンチローラ２２の押圧力）が大きくなるので、その反作用として、印画紙２０に対するキャプスタンローラ２１の圧接力が大きくなる。
【００４０】
このような本実施形態のサーマルプリンタ１０によって印画を行うには、ピンチ圧可変装置４０によってピンチローラ２２のピンチ圧を調整し、印画に必要な印画紙２０の搬送力が確保されるようにキャプスタンローラ２１の圧接力を設定した上で、上述した通常の印画動作を行えば良い。すなわち、図２（ａ）に示すように、印画時（転写時）は、サーマルヘッド１１を下降させ、発熱抵抗体１１ａによってプラテンローラ１２を押圧し、サーマルヘッド１１とプラテンローラ１２との間にインクリボン３０及び印画紙２０を挟持する。また、比較的大きな圧接力でキャプスタンローラ２１を時計回りに回転駆動し、キャプスタンローラ２１とピンチローラ２２との間に挟持された印画紙２０を印画方向（図２の右方向）に搬送する。そして、サーマルヘッド１１の各発熱抵抗体１１ａを選択的に通電駆動し、インクリボン３０上の各インクを印画紙２０に転写して印画を行う。
【００４１】
一方、非印画時（排紙時）は、図２（ｂ）に示すように、サーマルヘッド１１を上昇させ、キャプスタンローラ２１を反時計回りに回転駆動し、印画紙２０を排紙方向（図２の左方向）に搬送する。そして、カッター２３によって所定の長さに切断する。
しかしながら、非印画時（排紙時）も印画時（転写時）のような大きな圧接力で印画紙２０を排紙（搬送）したのでは、キャプスタンローラ２１の圧接によるキャプスタン痕が現れてしまう。
【００４２】
そこで、本実施形態のサーマルプリンタ１０では、非印画時（排紙時）に、ピンチ圧可変装置４０によってピンチ圧を下げ、キャプスタンローラ２１の圧接力を小さくしている。すなわち、印画紙２０の非印画時（排紙時）は、サーマルヘッド１１が上昇しているので、プラテンローラ１２との間で印画紙２０が挟持されていない。そのため、搬送負荷（サーマルヘッド１１と印画紙２０との摩擦力等）が小さくなり、印画時（転写時）よりも小さい搬送力で良い。したがって、ピンチ圧を下げてキャプスタンローラ２１の圧接力を小さくしても、円滑に印画紙２０を排紙できる。その結果、キャプスタン痕を抑制できるようになる。なお、搬送負荷が小さくなるように、インクリボン３０は、摩擦係数の小さいものを使用することが好ましい。
【００４３】
このように、本実施形態のサーマルプリンタ１０は、印画時（転写時）と非印画時（排紙時）とで必要な印画紙２０の搬送力が異なることに着目し、大きな搬送力が必要な印画時（転写時）は、キャプスタンローラ２１の圧接力が大きくなるように、ピンチ圧可変装置４０によってピンチローラ２２を下降させるようにし（図２（ａ）の矢印参照）、ピンチ圧を上げる。一方、搬送力が小さくても良い非印画時（排紙時）は、ピンチ圧可変装置４０によってピンチローラ２２を上昇させるようにし（図２（ｂ）の矢印参照）、ピンチ圧を下げてキャプスタンローラ２１の圧接力を小さくし、キャプスタン痕を抑制する。
【００４４】
また、本実施形態のサーマルプリンタ１０は、カラー対応のものであり、インクリボン３０から転写する色が変更されるごとに、サーマルヘッド１１が上昇するとともに、キャプスタンローラ２１が逆回転し、印画紙２０が排紙方向（図２の左方向）に搬送されて印画の開始地点まで戻される。そのため、印画動作中であっても、印画時と非印画時とがあり、ピンチ圧可変装置４０によってピンチ圧（キャプスタンローラ２１と印画紙２０との圧接力）が調整される。
【００４５】
図３は、本実施形態のサーマルプリンタ１０におけるピンチ圧の調整タイミングを示すフローチャートである。
図３に示すステップＳ１は、印画紙２０の給紙動作であり、非印画時の状態である。すなわち、キャプスタンローラ２１は、上昇したサーマルヘッド１１に対して印画紙２０を給紙（搬送）する。そのため、搬送負荷（主にサーマルヘッド１１と印画紙２０との摩擦力）が小さいので、ピンチ圧を小さくしてキャプスタンローラ２１の圧接力を弱くした状態で、キャプスタンローラ２１を回転駆動する。
【００４６】
次のステップＳ２は、印画紙２０の印画動作であるが、印画動作中であっても、印画時と非印画時とがある。すなわち、印画時（転写時）は、インクの転写のためにサーマルヘッド１１を下降させ、サーマルヘッド１１を印画紙２０に押圧させながら印画紙２０を搬送する。そのため、搬送負荷が大きく、必要な搬送力を確保するために、ピンチ圧を大きくしてキャプスタンローラ２１の圧接力を強くした状態で、キャプスタンローラ２１を回転駆動する。
【００４７】
ここで、１色目の転写が終わると、色を変更して２色目を転写するためにサーマルヘッド１１を上昇させ、キャプスタンローラ２１を逆回転させて印画紙２０を印画の開始地点まで戻す動作となる。そのため、キャプスタンローラ２１が一旦停止する非印画時（停止時）となるが、停止時にキャプスタンローラ２１の圧接力が印画紙２０に作用していると、キャプスタン痕（図１１（ｂ）に示す停止痕）が現れる。そのため、キャプスタンローラ２１の停止時は、ピンチ圧をゼロにしてキャプスタンローラ２１の圧接力をなくす。なお、停止と同時にピンチ圧をゼロにすることは困難なので、停止時間を短くする（１ｍｓｅｃ以下）ことが好ましい。
【００４８】
また、キャプスタンローラ２１を逆回転させて印画紙２０を戻す（搬送する）動作も非印画時（逆回転時）となり、逆回転時は、サーマルヘッド１１が上昇していて搬送負荷が小さい。そのため、ピンチ圧を小さくしてキャプスタンローラ２１の圧接力を弱くした状態で、キャプスタンローラ２１を逆回転駆動する。そして、１色目の印画時（転写時）と同様に、２色目以降の転写を行う。
【００４９】
このように、ステップＳ２では、印画動作中における印画時（転写時）、非印画時（停止時）、非印画時（逆回転時）によってピンチ圧（キャプスタンローラ２１の圧接力）を適宜調整している。すなわち、キャプスタンローラ２１の回転時で、サーマルヘッド１１による印画紙２０の印画時（転写時）は、ピンチ圧（圧接力）を大きくし、キャプスタンローラ２１が逆回転するサーマルヘッド１１の非印画時（逆回転時）は、ピンチ圧（圧接力）を小さくしている。また、キャプスタンローラ２１が停止する非印画時（停止時）は、ピンチ圧（圧接力）をゼロにしている。そして、このようなピンチ圧（圧接力）の調整は、各インクの転写ごとに繰り返される。
【００５０】
次のステップＳ３は、印画紙２０の排紙動作であり、非印画時の状態である。すなわち、ステップＳ３では、サーマルヘッド１１を上昇させたまま印画紙２０を排紙（搬送）する。そのため、搬送負荷が小さいので、ピンチ圧を小さくしてキャプスタンローラ２１の圧接力を弱くした状態で、キャプスタンローラ２１を回転駆動する。
【００５１】
最後のステップＳ４は、印画紙２０の切断動作であり、非印画時の状態である。すなわち、ステップＳ４では、サーマルヘッド１１を上昇させたまま印画紙２０を搬送し、カッター２３（図２参照）で切断する。そのため、搬送負荷が小さいので、ピンチ圧を小さくしてキャプスタンローラ２１の圧接力を弱くした状態で、キャプスタンローラ２１を回転駆動する。そして、本実施形態のサーマルプリンタ１０では、印画を行うごとに、ステップＳ１〜ステップＳ４の各動作が繰り返され、ピンチ圧可変装置４０によってピンチ圧が調整される。
【００５２】
図４から図６は、本実施形態のサーマルプリンタ１０におけるピンチ圧可変装置４０を示す側面図である。
なお、図４は、ピンチ圧を小さくした状態を示すものであり、図５は、ピンチ圧を大きくした状態を示すものであり、図６は、ピンチ圧をゼロにした状態を示すものである。
【００５３】
図４に示すように、ピンチローラ２２は、キャプスタンローラ２１と対向するように設けられており、キャプスタンローラ２１との間で印画紙２０を挟持する。そして、本実施形態のサーマルプリンタ１０では、ピンチローラ２２が、キャプスタンローラ２１と印画紙２０との圧接力を調整可能な圧接力調整手段（ピンチ圧可変装置４０）を備えている。
【００５４】
このピンチ圧可変装置４０は、中心からずれた位置にある回転軸４１によって回転する偏心カム４２と、偏心カム４２の回転によって縮み量が変化するコイルバネ４３（本発明におけるバネに相当するもの）とを備えている。そして、このコイルバネ４３の一端部がピンチローラ２２を支持するアーム４４に取り付けられている。そのため、モータ（図示せず）の回転駆動によって回転軸４１を回転させると、偏心カム４２が回転し、コイルバネ４３の縮み量が変化してアーム４４が作動する。すると、ピンチローラ２２が上下動してピンチ圧（印画紙２０に対するキャプスタンローラ２１の圧接力）が変化する。
【００５５】
ここで、図４は、キャプスタンローラ２１の回転時で、サーマルヘッド１１（図２参照）の非印画時（図３に示す給紙動作時、印画動作中の逆回転時、排紙動作時、及び切断動作時）の状態を示しており、偏心カム４２の回転位置の関係で、コイルバネ４３がほとんど縮んでいる。そのため、印画紙２０に対して小さいピンチ圧が作用し、その反作用としてのキャプスタンローラ２１の圧接力も小さくなっている。すなわち、サーマルヘッド１１が上昇中の非印画時で搬送負荷が小さい場合には、キャプスタンローラ２１の圧接力を小さくして印画紙２０を搬送できるので、キャプスタン痕（図１１（ａ）に示すスパイク痕）を抑制できる。
【００５６】
また、図５は、キャプスタンローラ２１の回転時で、サーマルヘッド１１（図２参照）の印画時（図３に示す印画動作中の転写時）の状態を示しており、偏心カム４２の回転位置の関係で、コイルバネ４３がほとんど伸びている。そのため、印画紙２０に対して大きいピンチ圧が作用し、その反作用としてのキャプスタンローラ２１の圧接力も大きくなっている。すなわち、サーマルヘッド１１が下降中の印画時で搬送負荷が大きい場合であっても、キャプスタンローラ２１を回転駆動して印画紙２０を正確に搬送できるので、色ずれを防止できる。
【００５７】
さらにまた、図６は、キャプスタンローラ２１の停止時で、サーマルヘッド１１（図２参照）の非印画時（図３に示す印画動作中の停止時）の状態を示しており、偏心カム４２の回転位置の関係で、コイルバネ４３が縮んでアーム４４を持ち上げている。そのため、印画紙２０に対するピンチ圧がゼロとなり、キャプスタンローラ２１の圧接力もゼロになる。すなわち、キャプスタンローラ２１の圧接力をゼロにできるので、印画紙２０の停止中に圧接力が作用することによって現れるキャプスタン痕（図１１（ｂ）に示す停止痕）を抑制できる。
【００５８】
このように、本実施形態のサーマルプリンタ１０は、ピンチ圧可変装置４０によってピンチローラ２２のピンチ圧（キャプスタンローラ２１の圧接力）を調整できる。すなわち、偏心カム４２を回転させることによってコイルバネ４３が伸びるようにすれば、ピンチローラ２２が下降するようになってピンチ圧が大きくなり、印画紙２０に対するキャプスタンローラ２１の圧接力も大きくなる。逆に、コイルバネ４３が縮むようにすれば、ピンチローラ２２が上昇するようになってピンチ圧が小さくなり、印画紙２０に対するキャプスタンローラ２１の圧接力も小さくなる。そして、ピンチ圧可変装置４０は、偏心カム４２の回転位置により、圧接力を連続的に調整可能となっている。
【００５９】
このような本実施形態のサーマルプリンタ１０において、ピンチ圧可変装置４０は、キャプスタンローラ２１の回転時と停止時、サーマルヘッド１１（図２参照）の印画時と非印画時とでピンチ圧（圧接力）を変化させる。すなわち、印画紙２０を搬送するために必要な搬送力に応じてキャプスタンローラ２１の圧接力を適宜調整し、必要最小限の圧接力とする。また、印画紙２０を搬送しないときは、圧接力をゼロにする。その結果、本実施形態のサーマルプリンタ１０では、キャプスタン痕が大幅に抑制される。
【００６０】
図７は、本実施形態のサーマルプリンタ１０における印画紙２０の搬送力とキャプスタンローラ２１の圧接力との関係を示すグラフである。
図７に示すように、キャプスタンローラ２１の圧接力を大きくすれば、それに応じて印画紙２０の搬送力が大きくなる。また、印画紙２０の厚さ、重さ、紙質等により、印画紙２０を正確に搬送し、色ずれを防止するために最低限必要な搬送力（必要最小搬送力）がある。
【００６１】
したがって、キャプスタンローラ２１の圧接力に対応する印画紙２０の搬送力が必要最小搬送力以上であれば、色ずれなく印画紙２０を搬送することができる。すなわち、図７に示す圧接力Ｐを通る直線から右側の領域（図７の斜線の範囲）であれば良く、キャプスタンローラ２１の圧接力を圧接力Ｐ（必要最小圧接力）以上に設定すれば良い。
【００６２】
ところが、圧接力を大きくすると、それに応じてキャプスタン痕が現れる。そのため、色ずれなく印画紙２０を搬送するための圧接力と、印画紙２０にキャプスタン痕を発生させないようにするための圧接力とが背反関係にあり、搬送力を上げるために圧接力を大きくするとキャプスタン痕が現れ、キャプスタン痕が現れないように圧接力を小さくすると色ずれを起こす。
【００６３】
ここで、必要最小搬送力は、印画紙２０の厚さ、重さ、紙質等によって異なるだけでなく、上述したように、搬送負荷（主にサーマルヘッド１１と印画紙２０との摩擦力）によっても変わる。そのため、必要最小搬送力が上下することとなり、その結果、圧接力Ｐも大きくなったり小さくなったりする。
【００６４】
そこで、本実施形態のサーマルプリンタ１０は、必要最小搬送力が得られる圧接力Ｐになるように、図４から図６に示すピンチ圧可変装置４０によってピンチ圧を調整する。そのため、色ずれがなく、キャプスタン痕が抑制されたものとなる。なお、ピンチ圧可変装置４０は、連続的にピンチ圧（圧接力）を調整可能なので、印画紙２０の搬送負荷を検知する搬送負荷検知手段（例えば、トルクセンサ等）を備えるようにすれば、圧接力Ｐをきめ細かく調整できるようになり、キャプスタン痕がより一層抑制される。
【００６５】
また、本実施形態のサーマルプリンタ１０は、キャプスタンローラ２１の突起２１ａ（図２参照）の形状によってもキャプスタン痕を抑制する。すなわち、図３に示すように、印画動作中におけるキャプスタンローラ２１の逆回転時は、サーマルヘッド１１が上昇しているので、搬送負荷が小さい。そのため、キャプスタンローラ２１の逆回転時（印画紙２０を戻す逆送り時）は、突起２１ａの形状によって搬送力が小さくなるようにし、キャプスタンローラ２１の通常回転時（印画紙２０を印画方向に送る順送り時）は、突起２１ａの形状によって搬送力が大きくなるようにして、通常回転時の圧接力をその分だけ小さくすることで、キャプスタン痕を抑制している。
【００６６】
図８は、本実施形態のサーマルプリンタ１０におけるキャプスタンローラ２１の突起２１ａを示す側面図及び平面図である。
図８に示すように、キャプスタンローラ２１には、圧接面に複数の突起２１ａが形成されており、各突起２１ａは全て、印画方向の上流側よりも下流側の方が鋭利な形状となっている。
【００６７】
このような突起２１ａの場合、印画紙２０を戻す逆送り時は、搬送力が小さくなってしまうが、印画紙２０を印画方向に送る順送り時（搬送負荷が大きい方向）の搬送力が大きくなるので、その分だけ順送り時のキャプスタンローラ２１の圧接力を弱くすることができる。そのため、図８に示す形状の突起２１ａにより、キャプスタン痕を抑制できる。なお、印画紙２０が一方向にのみ搬送される場合には、その搬送方向の上流側よりも下流側を鋭利な形状とする。
【００６８】
図９は、本実施形態のサーマルプリンタ１０におけるキャプスタンローラ２１の他の突起２１ｂを示す側面図である。
図９に示すように、キャプスタンローラ２１には、圧接面に複数の突起２１ｂが形成されており、各突起２１ｂは全て、台形状となっている。すなわち、突起２１ｂは、先端角８０°、先端幅５０μｍ、高さ８０μｍの台形状のものである。
【００６９】
このような突起２１ｂの場合、一般的なものより比較的先端角が大きい（８０°以上の鈍角）ので搬送力が増し、その分だけキャプスタンローラ２１の圧接力を弱くすることができる。また、印画紙２０に対する突起２１ｂの食い込み量が浅くなる。さらにまた、比較的先端幅が広い（５０μｍ）ので印画紙２０との接触面積が増え、印画紙２０に作用する圧接力が小さくなる。そのため、図９に示す形状の突起２１ｂにより、キャプスタン痕を抑制できる。なお、突起２１ｂの先端幅を広くするのと同じ理由で、キャプスタンローラ２１やピンチローラ２２（図２参照）の直径を大きくしたり、複数にすることも有効である。
【００７０】
また、本実施形態のサーマルプリンタ１０は、図４から図６に示すピンチ圧可変装置４０により、キャプスタンローラ２１の各突起２１ａ（２１ｂ）による印画紙２０の凹みが印画紙２０の弾性限度内となるようにピンチ圧（圧接力）を調整する。すなわち、印画紙２０に対してキャプスタンローラ２１の突起２１ａ（２１ｂ）が食い込み、印画紙２０に凹みが発生しても、その凹みが回復するようにして、キャプスタン痕を消滅させている。
【００７１】
図１０は、本実施形態のサーマルプリンタ１０におけるキャプスタン痕の消滅の様子を示す説明図である。
図１０（ａ）に示すように、キャプスタンローラ２１には、印画紙２０に対する圧接面に複数の突起２１ａが形成されている。そして、印画紙２０は、キャプスタンローラ２１とピンチローラ２２との間に挟持され、印画紙２０に圧接したキャプスタンローラ２１の回転駆動によって搬送される。
【００７２】
この際、キャプスタンローラ２１の突起２１ａが印画紙２０に食い込むので、サーマルヘッド１１を上昇させ、印画紙２０を排紙方向（図１０の左方向）に搬送すると、図１０（ｂ）に示すように、印画紙２０の印画済み領域には、キャプスタンローラ２１の突起２１ａに対応してキャプスタン痕が現れる。
【００７３】
このように、キャプスタンローラ２１の突起２１ａの食い込みによってキャプスタン痕が発生してしまうが、図１０（ａ）に示すように、ピンチローラ２２のピンチ圧は、ピンチ圧可変装置４０によって調整される。そして、ピンチ圧可変装置４０は、キャプスタンローラ２１の突起２１ａによる印画紙２０の凹みが印画紙２０の弾性限度内となるようにピンチ圧（キャプスタンローラ２１の圧接力）を調整する。
【００７４】
この場合、キャプスタンローラ２１の突起２１ａは、印画紙２０の弾性限度内で印画紙２０に圧接し、弾性限度内の凹みを生じさせるが、塑性域に入った凹みが生じることはない。そのため、発生した凹みは、時間の経過とともに自然に回復する。そして、キャプスタン痕は、この凹みが印画済み領域に現れたものである。
【００７５】
したがって、印画紙２０の凹みが自然に回復することから、キャプスタン痕も時間の経過とともに自然に消滅する。すなわち、図１０（ｂ）に示すように、印画紙２０は、次第にキャプスタン痕がない状態となり、その後で排紙されることとなる。その結果、本実施形態のサーマルプリンタ１０によれば、優れた印画品質が得られるようになる。
【００７６】
このように、本実施形態のサーマルプリンタ１０は、ピンチローラ２２のピンチ圧（キャプスタンローラ２１の圧接力）を調整するピンチ圧可変装置４０を備えているので、印画紙２０に対する圧接力を必要最小限のものとすることができる。また、キャプスタンローラ２１の各突起２１ａ（２１ｂ）は、圧接力を小さくできる形状となっている。さらにまた、キャプスタンローラ２１によって発生した印画紙２０の凹みは、時間の経過とともに自然に回復する。そのため、キャプスタン痕が大幅に抑制され、印画品位が向上する。そして、このようなピンチ圧可変装置４０等は、印画紙２０の搬送力を大きくする必要がある（キャプスタン痕が目立つようになる）大きな印画サイズのサーマルプリンタ１０に、特に好適なものとなる。
【００７７】
以上、本発明の実施形態について説明したが、本発明は、上述した実施形態に限定されることなく、例えば、以下のような種々の変形が可能である。
（１）本実施形態では、記録媒体として印画紙２０（紙メディア）を使用しているが、これに限ることなく、プラメディアであっても良い。
【００７８】
（２）本実施形態では、ピンチローラ２２を上下動させる圧接力調整手段（ピンチ圧可変装置４０）によってピンチローラ２２のピンチ圧を変化させ、キャプスタンローラ２１の圧接力を調整しているが、圧接力調整手段は、これに限らず、キャプスタンローラ２１を上下動等させることにより、圧接力を調整可能としても良い。
【図面の簡単な説明】
【００７９】
【図１】カラー印画が可能な本実施形態のサーマルプリンタの概要を示す側面図である。
【図２】本実施形態のサーマルプリンタにおける印画時（転写時）及び非印画時（排紙時）の動作を示す側面図である。
【図３】本実施形態のサーマルプリンタにおけるピンチ圧の調整タイミングを示すフローチャートである。
【図４】本実施形態のサーマルプリンタにおけるピンチ圧可変装置を示す側面図であり、ピンチ圧を小さくした状態を示すものである。
【図５】本実施形態のサーマルプリンタにおけるピンチ圧可変装置を示す側面図であり、ピンチ圧を大きくした状態を示すものである。
【図６】本実施形態のサーマルプリンタにおけるピンチ圧可変装置を示す側面図であり、ピンチ圧をゼロにした状態を示すものである。
【図７】本実施形態のサーマルプリンタにおける印画紙の搬送力とキャプスタンローラの圧接力との関係を示すグラフである。
【図８】本実施形態のサーマルプリンタにおけるキャプスタンローラの突起を示す側面図及び平面図である。
【図９】本実施形態のサーマルプリンタにおけるキャプスタンローラの他の突起を示す側面図である。
【図１０】本実施形態のサーマルプリンタにおけるキャプスタン痕の消滅の様子を示す説明図である。
【図１１】キャプスタンローラの突起によって生じる印画紙のキャプスタン痕を示す説明図である。
【符号の説明】
【００８０】
１０  サーマルプリンタ（画像形成装置）
１１  サーマルヘッド
１１ａ  発熱抵抗体（発熱素子）
２１  キャプスタンローラ（搬送装置）
２１ａ  突起
２１ｂ  突起
２２  ピンチローラ（搬送装置）
４０  ピンチ圧可変装置４０（圧接力調整手段）
４１  回転軸
４２  偏心カム
４３  コイルバネ（バネ）
【図１】
2008213180.tif 000003
【図２】
2008213180.tif 000004
【図３】
2008213180.tif 000005
【図４】
2008213180.tif 000006
【図５】
2008213180.tif 000007
【図６】
2008213180.tif 000008
【図７】
2008213180.tif 000009
【図８】
2008213180.tif 000010
【図９】
2008213180.tif 000011
【図１０】
2008213180.tif 000012
【図１１】
2008213180.tif 000013